(57)【要約】      （修正有）【課題】ＩＰネットワーク上の映像・音声伝送方式として、前方誤り訂正（ＦＥＣ）を用いたＴＳの伝送を利用する際に、ＩＰネットワーク上のパケットロスを最小限にできるように、映像・音声の途切れなくＴＳの伝送レートを制御する方式を用いた映像・音声伝送システム、伝送方法及びプログラムを提供する。【解決手段】映像・音声伝送システム１００は、送信側伝送装置８０及び受信側伝送装置９０とを有する。受信側伝送装置９０において、受信したＩＰパケットからシーケンス番号を抽出し、パケットロス率を計算して、パケット送信側へパケットロス状況を通知する。送信側伝送装置８０は、受信側から通知されたパケットロス状況に応じて伝送レートの切替を行う。伝送レートの切替を行う際には、映像符号化レートの切替を行った上で、Ｎｕｌｌパケットの削除を行う。【選択図】図１
2013207314.tif 000002
【特許請求の範囲】
【請求項１】
ＦＥＣを用いたＴＳの伝送を利用したＩＰネットワーク上の映像・音声伝送システムにおいて、
前記映像・音声伝送システムは、前記ＩＰネットワークに夫々接続されＩＰパケットの受信する受信側伝送装置と、前記ＩＰパケットを前記ネットワークに送信する送信側伝送装置とを備え、
前記受信側伝送装置は、受信したＩＰパケットから欠落したパケットの有無を確認し、通知するＩＰ／ＴＳ変換部と、前記ＩＰ／ＴＳ変換部から欠落したパケットの有無の通知に基いて、単位時間あたりのパケットロス率を計算し、前記ＩＰネットワークを介して、前記送信側伝送装置に前記パケットロス率を送信するパケットロス率送信部とを備え、
前記送信側伝送装置は、音声映像符号化レートの切替指示に基き映像符号化レートの切替を行うとともにＴＳパケットを送出する映像・音声符号化部と、前記ＴＳパケットをＩＰパケットに変換するとともにＮｕｌｌパケットの削除指示に基いてＮｕｌｌパケット削除を行いＩＰネットワークに送信するＴＳ／ＩＰ変換部と、前記ＩＰネットワークから前記パケットロス率を受信し、ＩＰパケットのパケットロス率の状況を通知するパケットロス率受信部と、前記パケットロス率受信部から通知されたパケットロス率の状況に応じて、伝送レートの切替制御指示とＮｕｌｌパケット削除指示を行う伝送レート制御部とを備えることを特徴とする映像・音声伝送システム。
【請求項２】
請求項１に記載の映像・音声伝送システムにおいて、前記ＩＰパケットは、ＴＳストリームであることを特徴とする映像・音声伝送システム。
【請求項３】
請求項１又は２に記載の映像・音声伝送システムにおいて、前記ＩＰ／ＴＳ変換部は、受信したＩＰパケットからシーケンス番号を抽出し、シーケンス番号の不連続を検出することによって、前記パケットロスの有無を確認することを特徴とする映像・音声伝送システム。
【請求項４】
請求項１乃至３の内のいずれか一項に記載の映像・音声伝送システムにおいて、前記伝送レート制御部は、映像が途切れないように、伝送レートの切替指示を、ＦＥＣの誤り訂正能力を基準値に基いて判断し、パケットロス率が誤り訂正能力の前記基準値以上となった場合に、伝送レートを予め定められた割合だけ削減もしくは増加させる制御を行うことを特徴とする映像・音声伝送システム。
【請求項５】
ＦＥＣを用いたＴＳの伝送を利用したＩＰネットワーク上の映像・音声伝送方法において、
前記映像・音声伝送方法は、前記ＩＰネットワークに夫々接続されＩＰパケットの受信する受信側伝送プロセスと、前記ＩＰパケットを前記ネットワークに送信する送信側伝送プロセスとを備え、
前記受信側伝送プロセスは、受信したＩＰパケットから欠落したパケットの有無を確認し、通知するＩＰ／ＴＳ変換ステップと、
前記ＩＰ／ＴＳ変換ステップからの欠落したパケットの有無の通知に基いて、単位時間あたりのパケットロス率を計算し、前記ＩＰネットワークを介して、前記送信側伝送装置に前記パケットロス率を送信するパケットロス率送信ステップとを備え、
前記送信側伝送装置は、音声映像符号化レートの切替指示に基き映像符号化レートの切替を行うとともにＴＳパケットを送出する映像・音声符号化ステップと、前記ＴＳパケットをＩＰパケットに変換するとともにＮｕｌｌパケットの削除指示に基いてＮｕｌｌパケット削除を行いＩＰネットワークに送信するＴＳ／ＩＰ変換ステップと、前記ＩＰネットワークから前記パケットロス率を受信し、ＩＰパケットのパケットロス率の状況を通知するパケットロス率受信ステップと、前記パケットロス率受信部から通知されたパケットロス率の状況に応じて、伝送レートの切替制御指示とＮｕｌｌパケット削除指示を行う伝送レート制御ステップとを備えることを特徴とする映像・音声伝送方法。
【請求項６】
請求項５に記載の映像・音声伝送方法において、前記ＩＰパケットは、ＴＳストリームであることを特徴とする映像・音声伝送方法。
【請求項７】
請求項５又は６に記載の映像・音声伝送方法において、前記ＩＰ／ＴＳ変換ステップにおけるパケットロスの有無を確認することは、受信したＩＰパケットからシーケンス番号を抽出し、シーケンス番号の不連続を検出することによってなされることを特徴とする映像・音声伝送方法。
【請求項８】
請求項５乃至７の内のいずれか一項に記載の映像・音声伝送方法において、前記伝送レートの制御ステップは、映像が途切れないように、伝送レートの切替指示を、ＦＥＣの誤り訂正能力を基準値に基いて判断し、パケットロス率が誤り訂正能力の前記基準値以上となった場合に、伝送レートを予め定められた割合だけ削減もしくは増加させる制御であることを特徴とする映像・音声伝送方法。
【請求項９】
ＦＥＣを用いたＴＳの伝送を利用したＩＰネットワーク上の映像・音声伝送するために、コンピュータを
前記映像・音声伝送システムは、前記ＩＰネットワークに夫々接続されＩＰパケットの受信する受信側伝送手段と、前記ＩＰパケットを前記ネットワークに送信する送信側伝送手段とを備えて機能させるためのプログラムであって、
前記受信側伝送手段は、受信したＩＰパケットから欠落したパケットの有無を確認し、通知するＩＰ／ＴＳ変換手段と、前記ＩＰ／ＴＳ変換部から欠落したパケットの有無の通知に基いて、単位時間あたりのパケットロス率を計算し、前記ＩＰネットワークを介して、前記送信側伝送装置に前記パケットロス率を送信するパケットロス率送信手段として機能し、
前記送信側伝送手段は、音声映像符号化レートの切替指示に基き映像符号化レートの切替を行うとともにＴＳパケットを送出する映像・音声符号化手段と、前記ＴＳパケットをＩＰパケットに変換するとともにＮｕｌｌパケットの削除指示に基いてＮｕｌｌパケット削除を行いＩＰネットワークに送信するＴＳ／ＩＰ変換手段と、前記ＩＰネットワークから前記パケットロス率を受信し、ＩＰパケットのパケットロス率の状況を通知するパケットロス率受信手段と、前記パケットロス率受信部から通知されたパケットロス率の状況に応じて、伝送レートの切替制御指示とＮｕｌｌパケット削除指示を行う伝送レート制御手段として機能することを特徴とする映像・音声伝送プログラム。
【請求項１０】
ＦＥＣを用いたＴＳの伝送を利用したＩＰネットワーク上の映像・音声伝送をするために、コンピュータに、
前記ＩＰネットワークに夫々接続されＩＰパケットの受信する受信側伝送プロセスと、前記ＩＰパケットを前記ネットワークに送信する送信側伝送プロセスとを実行させるためのプログラムであって、
前記受信側伝送プロセスは、受信したＩＰパケットから欠落したパケットの有無を確認し、通知するＩＰ／ＴＳ変換ステップと、
前記ＩＰ／ＴＳ変換ステップからの欠落したパケットの有無の通知に基いて、単位時間あたりのパケットロス率を計算し、前記ＩＰネットワークを介して、前記送信側伝送装置に前記パケットロス率を送信するパケットロス率送信ステップとを備え、
前記送信側伝送装置は、音声映像符号化レートの切替指示に基き映像符号化レートの切替を行うとともにＴＳパケットを送出する映像・音声符号化ステップと、前記ＴＳパケットをＩＰパケットに変換するとともにＮｕｌｌパケットの削除指示に基いてＮｕｌｌパケット削除を行いＩＰネットワークに送信するＴＳ／ＩＰ変換ステップと、前記ＩＰネットワークから前記パケットロス率を受信し、ＩＰパケットのパケットロス率の状況を通知するパケットロス率受信ステップと、前記パケットロス率受信部から通知されたパケットロス率の状況に応じて、伝送レートの切替制御指示とＮｕｌｌパケット削除指示を行う伝送レート制御ステップとを備えることを特徴とする映像・音声伝送プログラム。
【発明の詳細な説明】
【技術分野】
【０００１】
本発明は、映像・音声伝送システム、伝送方法、及びプログラムに関し、詳しくは、ＩＰ（InternetI Protocol;インターネットプロトコル）ネットワーク上の映像・音声のリアルタイム伝送において、ＴＳ（Transport Stream;トランスポートストリーム）をＦＥＣ（Forward Error Correction;フォワードエラーコレクション：前方誤り訂正）を含めて伝送する際の、ＴＳの伝送レート制御方式を用いた映像・音声伝送システム、伝送方法、及びプログラムに関する。
【背景技術】
【０００２】
従来この種の映像・音声伝送システムとしては、特許文献１に示す映像伝送システム及び映像伝送方法、特許文献２に示すストリーミング配信装置及び配信方法がある。
【０００３】
特許文献１による映像伝送装置は、無線ＬＡＮを介して接続される映像送信端末及び映像受信端末を有し、映像送信端末から送信した映像データを映像受信端末で受信する映像伝送システムである。
【０００４】
特許文献１による映像伝送装置において、映像受信端末は、パケットロス計測手段で受信したＩＰパケットからシーケンス番号を抽出し、パケットロス率を計測して、フィードバック送信手段によって映像送信端末へパケットロス状況をフィードバックして通知する。
【０００５】
一方、映像送信端末は、無線状態計測手段によって得られた無線リンク情報と、フィードバック受信手段を介して受信されたパケットロス率とに基づき帯域推定手段によって、無線ＬＡＮ等の通信手段に送信できるネットワーク伝送帯域が推定され、エンコードレート決定手段は、この推定されたネットワーク伝送帯域に基づいて送信する映像のデータ量を計測して、エンコードレートを決定する。決定されたエンコードレートに基いて、圧縮率決定手段は、ＩＰパケットのペイロード圧縮率とＩＰパケットヘッダの圧縮率を決定し、また、ＲＴＰ（Real-time Transport Protocol；リアルタイムトランスポートプロトコル）パケッタイズ手段は、エンコードにしたがってエンコードを行った映像データからＲＴＰパケットを生成する。ＲＴＰパケットは、パケット圧縮手段によって、ペイロード圧縮率にしたがってパケット圧縮及びヘッダ圧縮が行われる構成である。
【０００６】
特許文献２に示されたストリーミング配信装置は、パケットロス率検知手段、バッファ使用量検知手段、コンテンツレート制御手段、及び送出レート制御手段を備え、ネットワークに接続された端末にデータのストリーミング配信を行う。
【０００７】
パケットロス率検知手段は、前記端末から送信されるパケットロス率に関する情報に基づいて、前記端末に送信されるパケットのパケットロス率を検知する。また、バッファ使用量検知手段は、前記端末から送信される前記端末にバッファリングされたデータ量に関する情報に基づいて、前記端末のバッファ使用量を検知する。また、コンテンツレート制御手段は、前記検知されたパケットロス率に基づいてコンテンツレートを制御し、また、送出レート制御手段は、前記検知されたバッファ使用量に基づいてデータの送出レートを制御する構成である。
【先行技術文献】
【特許文献】
【０００８】
【特許文献１】特開２０１０−２５８８５０号公報
【特許文献２】特開２００３−１７４４８９号公報
【発明の概要】
【発明が解決しようとする課題】
【０００９】
しかしながら、特許文献１及び２に示された映像・音声伝送システムにおいては、ＩＰネットワークが不特定多数のユーザーで共有しているネットワークであり、それらユーザーの利用状況は不定であるため、ネットワークの輻輳を予測できない。その結果として、ＦＥＣの訂正能力以上のパケットロスが生じる可能性があり、受信側でパケットを復元できない場合があり、ＩＰネットワーク上で映像・音声をリアルタイム伝送する場合、ＩＰネットワーク上の輻輳に起因して発生するパケットロス率を予測できないという問題が生じた。
【００１０】
また、特許文献１及び２に示された映像・音声伝送システムにおいて、ＴＳの伝送レートは、ＴＳを出力するために供給される伝送クロックによって決定され、伝送レートを切り替える際には必ず伝送クロックの不連続が生じる。ＩＰネットワーク上のパケットロス率を低減する方法として伝送レートを小さくする方法が有効な手段の一つとなるが、ＴＳの伝送レートを切り替える際には、映像・音声を途切れなく切り替えることができない等の問題が生じた。
【００１１】
そこで、本発明の技術的課題は、上記問題点に鑑み、ＩＰネットワーク上の映像・音声伝送方式として、ＦＥＣを用いたＴＳの伝送を利用する際に、ＩＰネットワーク上のパケットロスを最小限にできるように、ＴＳの伝送レートを制御することができる映像・音声伝送システム、伝送方法及びプログラムを提供することにある。
【００１２】
また、本発明のもう一つの技術的課題は、前記制御の際に、映像・音声の途切れなく伝送レートの制御ができる映像・音声伝送システム、伝送方法及びプログラムを提供することにある。
【課題を解決するための手段】
【００１３】
本発明の一態様によれば、ＦＥＣを用いたＴＳの伝送を利用したＩＰネットワーク上の映像・音声伝送システムにおいて、前記映像・音声伝送システムは、前記ＩＰネットワークに夫々接続されＩＰパケットの受信する受信側伝送装置と、前記ＩＰパケットを前記ネットワークに送信する送信側伝送装置とを備え、前記受信側伝送装置は、受信したＩＰパケットから欠落したパケットの有無を確認し、通知するＩＰ／ＴＳ変換部と、前記ＩＰ／ＴＳ変換部から欠落したパケットの有無の通知に基いて、単位時間あたりのパケットロス率を計算し、前記ＩＰネットワークを介して、前記送信側伝送装置に前記パケットロス率を送信するパケットロス率送信部とを備え、前記送信側伝送装置は、音声映像符号化レートの切替指示に基き映像符号化レートの切替を行うとともにＴＳパケットを送出する映像・音声符号化部と、前記ＴＳパケットをＩＰパケットに変換するとともにＮｕｌｌパケットの削除指示に基いてＮｕｌｌパケット削除を行いＩＰネットワークに送信するＴＳ／ＩＰ変換部と、前記ＩＰネットワークから前記パケットロス率を受信し、ＩＰパケットのパケットロス率の状況を通知するパケットロス率受信部と、前記パケットロス率受信部から通知されたパケットロス率の状況に応じて、伝送レートの切替制御指示とＮｕｌｌパケット削除指示を行う伝送レート制御部とを備えることを特徴とする映像・音声伝送システムが得られる。
【００１４】
また、本発明のもう一つの態様によれば、ＦＥＣを用いたＴＳの伝送を利用したＩＰネットワーク上の映像・音声伝送方法において、
前記映像・音声伝送方法は、前記ＩＰネットワークに夫々接続されＩＰパケットの受信する受信側伝送プロセスと、前記ＩＰパケットを前記ネットワークに送信する送信側伝送プロセスとを備え、前記受信側伝送プロセスは、受信したＩＰパケットから欠落したパケットの有無を確認し、通知するＩＰ／ＴＳ変換ステップと、前記ＩＰ／ＴＳ変換ステップからの欠落したパケットの有無の通知に基いて、単位時間あたりのパケットロス率を計算し、前記ＩＰネットワークを介して、前記送信側伝送装置に前記パケットロス率を送信するパケットロス率送信ステップとを備え、前記送信側伝送装置は、音声映像符号化レートの切替指示に基き映像符号化レートの切替を行うとともにＴＳパケットを送出する映像・音声符号化ステップと、前記ＴＳパケットをＩＰパケットに変換するとともにＮｕｌｌパケットの削除指示に基いてＮｕｌｌパケット削除を行いＩＰネットワークに送信するＴＳ／ＩＰ変換ステップと、前記ＩＰネットワークから前記パケットロス率を受信し、ＩＰパケットのパケットロス率の状況を通知するパケットロス率受信ステップと、前記パケットロス率受信部から通知されたパケットロス率の状況に応じて、伝送レートの切替制御指示とＮｕｌｌパケット削除指示を行う伝送レート制御ステップとを備えることを特徴とする映像・音声伝送方法が得られる。
【００１５】
また、本発明の更にもう一つの態様によれば、ＦＥＣを用いたＴＳの伝送を利用したＩＰネットワーク上の映像・音声伝送するために、コンピュータを前記映像・音声伝送システムは、前記ＩＰネットワークに夫々接続されＩＰパケットの受信する受信側伝送手段と、前記ＩＰパケットを前記ネットワークに送信する送信側伝送手段として機能させるためのプログラムであって、前記受信側伝送手段を、受信したＩＰパケットから欠落したパケットの有無を確認し、通知するＩＰ／ＴＳ変換手段と、前記ＩＰ／ＴＳ変換部から欠落したパケットの有無の通知に基いて、単位時間あたりのパケットロス率を計算し、前記ＩＰネットワークを介して、前記送信側伝送装置に前記パケットロス率を送信するパケットロス率送信手段として機能させ、前記送信側伝送手段を、音声映像符号化レートの切替指示に基き映像符号化レートの切替を行うとともにＴＳパケットを送出する映像・音声符号化手段と、前記ＴＳパケットをＩＰパケットに変換するとともにＮｕｌｌパケットの削除指示に基いてＮｕｌｌパケット削除を行いＩＰネットワークに送信するＴＳ／ＩＰ変換手段と、前記ＩＰネットワークから前記パケットロス率を受信し、ＩＰパケットのパケットロス率の状況を通知するパケットロス率受信手段と、前記パケットロス率受信部から通知されたパケットロス率の状況に応じて、伝送レートの切替制御指示とＮｕｌｌパケット削除指示を行う伝送レート制御手段として機能させることを特徴とする映像・音声伝送プログラム。
【００１６】
さらに、本発明の他の態様によれば、ＦＥＣを用いたＴＳの伝送を利用したＩＰネットワーク上の映像・音声伝送をするために、コンピュータに、前記ＩＰネットワークに夫々接続されＩＰパケットの受信する受信側伝送プロセスと、前記ＩＰパケットを前記ネットワークに送信する送信側伝送プロセスとを実行させるためのプログラムであって、
前記受信側伝送プロセスは、受信したＩＰパケットから欠落したパケットの有無を確認し、通知するＩＰ／ＴＳ変換ステップと、前記ＩＰ／ＴＳ変換ステップからの欠落したパケットの有無の通知に基いて、単位時間あたりのパケットロス率を計算し、前記ＩＰネットワークを介して、前記送信側伝送装置に前記パケットロス率を送信するパケットロス率送信ステップとを備え、
前記送信側伝送プロセスは、音声映像符号化レートの切替指示に基き映像符号化レートの切替を行うとともにＴＳパケットを送出する映像・音声符号化ステップと、前記ＴＳパケットをＩＰパケットに変換するとともにＮｕｌｌパケットの削除指示に基いてＮｕｌｌパケット削除を行いＩＰネットワークに送信するＴＳ／ＩＰ変換ステップと、前記ＩＰネットワークから前記パケットロス率を受信し、ＩＰパケットのパケットロス率の状況を通知するパケットロス率受信ステップと、前記パケットロス率受信部から通知されたパケットロス率の状況に応じて、伝送レートの切替制御指示とＮｕｌｌパケット削除指示を行う伝送レート制御ステップとを備えることを特徴とする映像・音声伝送プログラム。
【発明の効果】
【００１７】
本発明によれば、実際のＩＰネットワーク上のパケットロス状況（輻輳状況）を把握した上で伝送レートの切替を行うことができるので、受信側でパケットロス状況をモニタリングして送信側にパケットロス率を伝達し、送信側にてパケットロス率に応じて伝送レートの切替を行うことができる映像・音声伝送システムを提供することができる。
【００１８】
また、本発明によれば、伝送レートそのものを切り替えるのではなく映像符号化レートを切り替えることで、途切れなく伝送レートを切り替えることができ、伝送レートの切替を行う際に、映像・音声の途切れなくシームレスに切替を行うことができる映像・音声伝送システムを提供することが出来る。
【図面の簡単な説明】
【００１９】
【図１】本発明の実施の形態による映像・音声伝送システムの全体の構成を示すブロック図である。
【発明を実施するための形態】
【００２０】
次に、本発明の実施の形態について図面を参照して詳細に説明する。
【００２１】
図１は、本発明の実施の形態による映像・音声伝送システムの全体の構成を示すブロックである。
【００２２】
図１において、映像・音声伝送システム１００は、ＩＰネットワーク７０に接続された送信側伝送装置８０と、受信側伝送装置９０とを備えている。なお、送信側伝送装置８０及び受信側伝送装置９０及び以下に説明する各部は、ＩＰネットワーク７０へのインターフェースを有するコンピュータのプログラムで構成されていても良い。
【００２３】
送信側伝送装置８０は、映像・音声符号化部１０、ＴＳ／ＩＰ変換部２０、伝送レート制御部６０パケットロス率受信部４０、及び伝送レート制御部６０を備えている。
【００２４】
また、受信側伝送装置９０は、ＩＰ／ＴＳ変換部３０、及びパケットロス率送信部５０を備えている。
【００２５】
受信側伝送装置９０において、ＩＰ／ＴＳ変換部３０は、ＩＰネットワークから受信するＩＰパケット（ＴＳストリーム）のシーケンス番号を確認し、欠落したパケットの有無をパケットロス率送信部５０へ通知する。また、パケットロス率送信部５０は、単位時間あたりのパケットロス率を計算し、ＩＰネットワーク７０を介して、パケットロス率受信部４０へ送信する。
【００２６】
送信側伝送装置８０において、パケットロス率受信部４０は、受信したパケットロス率によって、パケットロス率の状況を伝送レート制御部６０に通知する。
【００２７】
伝送レート制御部６０は、パケットロス率に応じて伝送レートの切替制御指示を映像・音声符号化部１０及びＴＳ／ＩＰ変換部２０へ行う。
【００２８】
映像・音声符号化部１０は、伝送レート制御部６０からの指示に従い、映像符号化レートの切替を行い、ＴＳ／ＩＰ変換部２０は、同じく伝送レート制御部６０からの指示に従いＮｕｌｌパケットの削除を行う。
【００２９】
次に、図１の映像・音声伝送システム１００の動作詳細について説明する。
【００３０】
図１において、受信側伝送装置において、ＩＰ／ＴＳ変換部３０は、ＩＰネットワークを経由して受信したＩＰパケットからシーケンス番号を抽出し、シーケンス番号の不連続を検出することによってパケットロスの有無を確認する。このパケットロスの有無をロスパケット通知１としてパケットロス率送信部５０へ通知する。
【００３１】
パケットロス率送信部５０では、ロスパケット通知１から単位時間あたりのパケットロス状況を集計しパケットロス率通知２として、ＩＰネットワーク７０を介してパケットロス率受信部４０へ送信する。また、パケットロス率受信部４０は、そのパケットロス状況をパケットロス率通知３として、伝送レート制御部６０に通知する。
【００３２】
伝送レート制御部６０では、受け取ったパケットロス率通知３に基くパケットロス状況に応じて伝送レートの切替制御指示４を映像・音声符号化部１０及びＮｕｌｌパケット削除指示５をＴＳ／ＩＰ変換部２０へ行う。
【００３３】
伝送レートの切替指示４は、ＦＥＣの誤り訂正能力を基準に判断する。例えば、パケットロス率が誤り訂正能力の５０％以上となった場合に、伝送レートを１０％削減するといった具合に制御を行う。パケットロス率の基準値や伝送レート削減量（または増加量）は、設定によって変更できる。
【００３４】
映像・音声符号化部１０は、伝送レート制御部６０からの映像符号化レート切替指示４に従い伝送レート削減量（または増加量）に応じた映像符号化レートの切替を行う。この映像符号化レートの切替は、映像が途切れることなく切り替えることが可能である。
【００３５】
ＴＳ／ＩＰ変換部２０は、伝送レート制御部６０からのＮｕｌｌパケット削除指示５に従い、Ｎｕｌｌパケットの削除を行い、ＩＰパケット７としてＩＰネットワーク７０に送信する。
【００３６】
映像・音声符号化部１０では映像符号化レートの切替を行うが、この処理では伝送レートそのものを削減することができない。実際に伝送されるＴＳパケット６では、映像符号化レートが削減された分、Ｎｕｌｌパケットが挿入され全体の伝送レートは一定に保たれている。そのため、ＴＳ／ＩＰ変換部２０にてＮｕｌｌパケットを削除することにより伝送レートを削減することが可能である。
【００３７】
なお、Ｎｕｌｌパケット自体は、受信側で映像・音声を再生する際に必要なパケットではなく、ＴＳ／ＩＰ変換部２０にてＮｕｌｌパケットを予め削除しても映像・音声の再生には影響がない。また、伝送レート内のＮｕｌｌパケットの割合を予め多くしておけば、万が一瞬間的に訂正能力以上のパケットロスが発生し伝送レート制御の処理が間に合わない場合でも、Ｎｕｌｌパケットがパケットロスする可能性が高く、映像・音声の途切れを防止できる。
【００３８】
以上説明した本発明の実施の形態による映像・音声伝送システムにおいては、パケットロス率は、受信側伝送装置９０のＩＰ／ＴＳ変換部３０でパケットロスを検出後、パケットロス率送信部５０からパケットロス率通知２としては、ＩＰネットワーク７０を介して送信側伝送装置８０のパケットロス率受信部４０で受信され、さらに、パケットロス率通知３として、伝送レート制御部６０へと通知される。伝送レート制御部６０はパケットロス率に応じて伝送レートの制御を行うが、音声符号化部１０には映像符号化レート切替指示４、ＴＳ／ＩＰ変換部２０にはＮｕｌｌパケット削除指示５を行う方法で伝送レートの制御を行うことにより。シームレスに伝送レートの切替を行うことができる。
【００３９】
［発明の他の実施の形態］
本発明の他の実施の形態による映像・音声伝送システムは、基本的にＲＴＰ／ＵＤＰ／ＩＰ方式の伝送を用いる以外は、上記実施の形態と同様の構成を有するものである。
【００４０】
本発明の他の実施の形態による映像・音声伝送システムでは、ＴＳストリームを、ＲＴＰ／ＵＤＰ(User Datagram Protocol; ユーザデータグラムプロトコル)／ＩＰパケット化し、さらに誤り訂正符号化した上で、ＩＰネットワーク上をリアルタイムに伝送し、受信側では受信したＲＴＰパケットから誤り訂正を行った上でＴＳタイミングを再生するといった、リアルタイムでシームレスな映像伝送サービスの実施が可能となる。
【００４１】
なお、本発明においては、そのパケットフォーマットに限定することなく、実施の形態で示した同等の基本構成にて、伝送レートの切替を実現することが可能である。
【産業上の利用可能性】
【００４２】
以上の説明のように、本発明に係る映像・音声伝送システムは、ネットワークに接続された映像・音声伝送システムに適用される。
【符号の説明】
【００４３】
１０    映像・音声符号化部
２０    ＴＳ／ＩＰ変換部
３０    ＩＰ／ＴＳ変換部
４０    パケットロス率受信部
５０    パケットロス率送信部
６０    伝送レート制御部
７０    ＩＰネットワーク
８０    送信側伝送装置
９０    受信側伝送装置
１００    映像・音声伝送システム
【図１】
2013207314.tif 000003